(57)【要約】      （修正有）【課題】シールエンド型の蓋部を１アクションで容易に開封又は解体することができる包装箱を提供する。【解決手段】箱体形成片１２には、筒体を形成する後板１４、第一側板１６、前板１８、第二側板２０が連接されている。前板１８は、連接方向に対して直角方向の端部に、組み立て状態で筒体の一端部を塞ぐ底蓋部となる内側底蓋片５８を備える。第一側板１６は、組み立て状態で前板１８と隣り合って交差する板であって、内側底蓋片５８側の端部に、組み立て状態で内側底蓋片５８の内側に重なる台形状の第一サイドフラップ４８を備える。前板１８と内側底蓋片５８との境界部に破断線６０を備える。第一サイドフラップ４８の２つの先端角部のうち、前板１８から遠い方の先端角部は、第一折罫線４８ｂで斜めに区切られて略三角形の第一折り曲げ部４８ａになっている。【選択図】図２
0003206514.tif 000002
【実用新案登録請求の範囲】
【請求項１】
一枚の箱体形成片から成り、前記箱体形成片は、互いに平行に連接され、組み立て状態で四角形の筒体を形成する複数の側面板を有し、
前記複数の側面板の中の１つである前板は、前記連接方向に対して直角方向の端部に、組み立て状態で前記筒体の一方の端部を塞ぐ蓋部となる蓋片が延設され、
前記複数の側面板の中の１つである第一側板は、組み立て状態で前記前板と隣り合って交差する板であって、前記蓋片側の端部に、組み立て状態で前記蓋片の内側に重なる第一サイドフラップが延設され、
前記前板と前記蓋片との境界部に破断線が設けられ、
前記第一サイドフラップの２つの先端角部のうち、組み立て状態で前記前板から遠くなる方の先端角部は、第一折罫線で斜めに区切られて略三角形の第一折り曲げ部になっており、
組み立て状態で、使用者が前記前面及び第一側板が交差する角部を内向きに押し込むことにより、前記筒体が変形して前記破断線が破断するとともに、前記第一折り曲げ部が、前記前板に対向する前記側面板の内面に接して前記第一折罫線で屈曲可能に形成されていることを特徴とする包装箱。
【請求項２】
前記前板と第一側板とが交差する角部に、前記蓋部を開くときに押圧する位置を示す押圧位置表示が設けられている請求項１記載の包装箱。
【請求項３】
前記複数の側面板の中の１つである第二側板は、組み立て状態で前記前板と隣り合って交差するとともに前記第一側板と対向する板であって、前記蓋片側の端部に、組み立て状態で前記蓋片の内側に重なる台形状の第二サイドフラップが延設され、
前記第二サイドフラップ２つの先端角部のうち、組み立て状態で前記前板から遠くなる方の先端角部は、第二折罫線で斜めに区切られて略三角形の第二折り曲げ部になっており、
組み立て状態で、使用者が前記筒体の前記前面及び第二側板が交差する角部を内向きに押し込むことにより、前記筒体が変形して前記破断線が破断するとともに、前記第二折り曲げ部が、前記前板に対向する前記側面板の内面に接して前記第二折罫線で屈曲可能に形成されている請求項１記載の包装箱。
【請求項４】
前記前板と前記第一側板とが交差する角部、及び前記前板と前記第二側板とが交差する角部に、前記蓋部を開くときに押圧する位置を示す押圧位置表示がそれぞれ設けられている請求項３記載の開封容易尾包装箱。
【請求項５】
前記第一サイドフラップの前記第一折り曲げ部の前記第一折罫線には、切り込み線が設けられている請求項１記載の包装箱。
【考案の詳細な説明】
【技術分野】
【０００１】
本考案は、シールエンド型の蓋部を有した包装箱に関する。
【背景技術】
【０００２】
従来、例えば特許文献１に開示されているように、側板、前板、後板、側板により胴部が形成され、後板の下辺に連設された底内板と前板の下辺に連設された底板を重ねて貼り合わせて底蓋部が形成されるカートンであって、後板の下縁中央部に摘み部切れ目線を設け、後板と底内板との折れ線上に、摘み部切れ目線の両端から外向きに延びる破断切れ目線を設けた減容化カートンがあった。この減容化カートンは、廃棄するとき、摘み部を押し込んで摘み部切れ目線を破断させ、摘み部と底部を摘まんで引き上げることによって破断切れ目線を破断させることによって底蓋部を解体する（開く）ことができ、薄く折り畳んだ状態で廃棄することができる。
【先行技術文献】
【特許文献】
【０００３】
【特許文献１】特開２００５−２６３２７９号公報
【考案の概要】
【考案が解決しようとする課題】
【０００４】
しかし、特許文献１の減容化カートンの場合、底部を開いて廃棄用に解体するときに２アクション（摘み部を押し込む動作、摘み部と底部を摘まんで引き上げる動作）が必要になる。したがって、より廃棄作業を容易にした１アクションで簡単に蓋部を解体できる包装箱が求められていた。
【０００５】
本考案は、上記背景技術に鑑みて成されたものであり、シールエンド型の蓋部を１アクションで簡単に解体することができる包装箱を提供することを目的とする。
【課題を解決するための手段】
【０００６】
本考案は、一枚の箱体形成片から成り、前記箱体形成片は、互いに平行に連接され、組み立て状態で四角形の筒体を形成する複数の側面板を有し、前記複数の側面板の中の１つである前板は、前記連接方向に対して直角方向の端部に、組み立て状態で前記筒体の一方の端部を塞ぐ蓋部となる蓋片が延設され、前記複数の側面板の中の１つである第一側板は、組み立て状態で前記前板と隣り合って交差する板であって、前記蓋片側の端部に、組み立て状態で前記蓋片の内側に重なる第一サイドフラップが延設され、前記前板と前記蓋片との境界部に破断線が設けられ、前記第一サイドフラップの２つの先端角部のうち、組み立て状態で前記前板から遠くなる方の先端角部は、第一折罫線で斜めに区切られて略三角形の第一折り曲げ部になっており、組み立て状態で、使用者が前記前面及び第一側板が交差する角部を内向きに押し込むことにより、前記筒体が変形して前記破断線が破断するとともに、前記第一折り曲げ部が、前記前板に対向する前記側面板の内面に接して前記第一折罫線で屈曲可能に形成されている包装箱である。
【０００７】
前記前板と第一側板とが交差する角部に、前記蓋部を開くときに押圧する位置を示す押圧位置表示が設けられていてもよい。
【０００８】
前記複数の側面板の中の１つである第二側板は、組み立て状態で前記前板と隣り合って交差するとともに前記第一側板と対向する板であって、前記蓋片側の端部に、組み立て状態で前記蓋片の内側に重なる台形状の第二サイドフラップが延設され、前記第二サイドフラップ２つの先端角部のうち、組み立て状態で前記前板から遠くなる方の先端角部は、第二折罫線で斜めに区切られて略三角形の第二折り曲げ部になっており、組み立て状態で、使用者が前記筒体の前記前面及び第二側板が交差する角部を内向きに押し込むことにより、前記筒体が変形して前記破断線が破断するとともに、前記第二折り曲げ部が、前記前板に対向する前記側面板の内面に接して前記第二折罫線で屈曲可能に形成されている構成でもよい。
【０００９】
この場合、前記前板と前記第一側板とが交差する角部、及び前記前板と前記第二側板とが交差する角部に、前記蓋部を開くときに押圧する位置を示す押圧位置表示がそれぞれ設けられていてもよい。
【００１０】
さらに、前記第一サイドフラップの前記第一折り曲げ部の前記第一折罫線には、切り込み線が設けられているとよい。
【考案の効果】
【００１１】
本考案の包装箱によれば、シールエンド型の蓋部を、１アクションで簡単に開いて解体することができ、使用済みの包装箱の処理を容易にする。
【図面の簡単な説明】
【００１２】
【図１】本考案の包装箱の一実施形態の組み立て状態を示す図であって、天蓋部が見える角度の斜視図（ａ）、底蓋部が見える角度の斜視図（ｂ）である。
【図２】この実施形態の開封用包装箱の箱体形成片を表面側から見た展開図（ａ）、押圧位置表示の部分を拡大した図（ｂ）である。
【図３】底蓋部の組み立て工程を示す底面図（ａ），（ｂ），（ｃ）である。
【図４】底蓋部の破断線を破断するときの動作を示す図であって、底蓋部及び筒体の動きを示す底面図（ａ）、第一サイドフラップ、第二サイドフラップ及び筒体の動きを示す底面図（ｂ）である。
【考案を実施するための形態】
【００１３】
以下、本考案の包装箱の一実施形態について、図面に基づいて説明する。この実施形態の包装箱１０は、図１に示すように、略直方体の箱体であり、厚紙等で形成された一枚の箱体形成片１２を組み立てることによって形成される。
【００１４】
箱体形成片１２は、図２（ａ）に示すように、互いに平行に連接された４つの側面板１４，１６，１８，２０を有している。４つの側面板１４，１６，１８，２０は、連接方向と直交する幅方向の長さが同じであり、連接方向の長さは、側面板１４，１８が長くて互いにほぼ等しく、側面板１６，２０が短くて互いにほぼ等しい。側面板１４側の端部には、組み立て状態で側面板２０の端部の裏面に糊付けされる糊付け片２２が設けられている。糊付け片２２と４つの側面板１４，１６，１８，２０は、各々折罫線２４，２６，２８，３０で区切られている。以下、側面板１４，１６，１８，２０を、それぞれ後板１４、第一側板１６，前板１８及び第二側板２０と称する。
【００１５】
後板１４の、連接方向に対して直角方向の一端部には、略矩形の天蓋片３２が延設され、折罫線３４で後板１４と区切られている。天蓋片３２の延出方向長さは、第一及び第二側板１６，２０の連接方向長さとほぼ同じである。天蓋片３２の、折罫線３４と反対側の端部には、差し込み片３６が延設され、折罫線３８で天蓋片３２と区切られている。また、後板１４の他端部には、ほぼ天蓋片３２と同形の外側底蓋片４０が延設され、折罫線４２で後板１４と区切られている。
【００１６】
第一側板１６の、後板１４の折罫線３４に連続する端部には、台形状のサイドフラップ４４が延設され、折罫線４６で第一側板１６と区切られている。第一側板１６の他端部には、台形状の第一サイドフラップ４８が延設され、折罫線５０で第一側板１６と区切られている。第一サイドフラップ４８の２つの先端角部のうち、前板１８から遠い方の先端角部は、第一折罫線４８ｂで斜めに区切られて略三角形の第一折り曲げ部４８ａになっている。第一折罫線４８ｂは、例えば、所定長さの切り込み線等で形成されている。
【００１７】
前板１８の、第一側板１６の折罫線４６に連続する端辺５２の内側には、指で押圧できる大きさの押圧部５４が設けられている。押圧部５４は、端辺５２の中央部とＵ字状の破断線５６とで囲まれ、周囲と区切られている。また、前板１８の他端部には、外側底蓋片４０より僅かに小さい内側底蓋片５８が延設され、破断線６０で前板１８と区切られている。
【００１８】
第一側板１６及び前板１８の境界部の、破断線６０に近い位置には、押圧位置表示６２が印刷されている。押圧位置表示６２は、例えば図２（ｂ）に示すように、「PUSH」の文字とＵ字状の記号とを組み合わせた図柄等である。押圧位置表示６２については後で説明する。
【００１９】
第二側板２０の、前板１８の端辺５２に連続する端部には、台形状のサイドフラップ６４が延設され、折罫線６６で第二側板２０と区切られている。第二側板２０の他端部には、台形状の第二サイドフラップ６８が延設され、折罫線７０で第二側板２０と区切られている。第二サイドフラップ６８の２つの先端角部のうち、前板１８から遠い方の先端角部は、二折罫線６８ｂで斜めに区切られて略三角形の第二折り曲げ部６８ａになっている。第二折罫線６８ｂは、例えば、所定長さの切り込み線等で形成されている。
【００２０】
次に、包装箱１０の組み立て方法の一例を説明する。ここで、箱体形成片１２の表面が凸になる折り方を正折り、そして裏面が凸になる折り方を逆折りと称する。
【００２１】
まず、折罫線２４を正折して、糊付け片２２を後板１４に重ね、糊付け片２２の表面に糊を塗布する。そして、折罫線２８を正折りして、第二側板２０の裏面の端部を糊付け片２２の表面に糊付けする。箱体形成片１２は、この折り畳まれた状態で出荷される。
【００２２】
次に商品を包装する工場等において、折罫線２４，２６，２８，３０を各々９０°に正折りし、四角形の筒体７２を形成する。その後、筒体７２の一端部を塞ぐ底蓋部７４を設けるため、図３（ａ）、（ｂ）、（ｃ）に順に示すように、折罫線５０，７０でサイドフラップ４８，６８を各々９０°に正折りし、破断線６０で内側底蓋片５８を９０°に正折りする。その後、外側底蓋片４０の裏面の中央部に糊７６を塗布し、折罫線４２で外側底蓋片４０を９０°に正折りし、外側底蓋片４０の裏面を内側底蓋片６０の表面に糊付し、外側底蓋片４０と内側底蓋片５８が一体になった底蓋部７４が形成される。これで筒体７２の一端部が閉鎖されたので、開放している他端部から商品等を入れる。
【００２３】
商品等を入れた後、筒体７２の他端部を塞ぐ天蓋部７４を設けるため、折罫線４６，６６でサイドフラップ４４，６４を各々９０°に正折りし、差し込み片３６の表面中央部に糊を塗布する。そして、折罫線３４で天蓋片３２を９０°に正折りし、折罫線３８で差し込み片３６を９０°に正折りし、差し込み片３６を前板１８の内側に差し込んで押圧部５４の裏面に糊付けし、天蓋片３２で成る天蓋部７４により、箱体の他端部も閉鎖される。これで商品の包装作業が終了して図１（ａ）、（ｂ）に示す組み立て状態となり、この状態で商品が出荷され、商店等で販売される。なお、組み立ての手順は、先に天蓋部７８を設け、商品を入れた後で底蓋部７４を設けるようにしてもよい。
【００２４】
包装箱１０は、図１に示すように、天蓋部７８側と底蓋部７４側のそれぞれに、開封及び解体を容易にする構造が設けられている。商品を購入した使用者は、天蓋部７８側を開封して商品の出し入れを行う。そして、箱体を折り畳んで廃棄するとき、底蓋部７４側も開いて箱体を解体する。本考案の要部は、底蓋部７４側の構造である。
【００２５】
使用者が天蓋部７８側を開封するときは、前板１８の押圧部５４を指で押して破断線５６を破断させ、押圧部５４を前板１８から分離させる。そして、差し込み片３６及び天蓋片３２を引き上げると、天蓋部７８で塞がれていた筒体７２の端部が開放し、中の商品を取り出すことができる。押圧部５４は、前板１８から分離するが、差し込み片３６に糊付けされているので、ゴミにならない。
【００２６】
開封した天蓋部７８側を再封するときは、サイドフラップ４４，６４を９０°に正折りし、天蓋片３２を９０°に正折りし、差し込み片３６をサイドフラップ４４，６４と前板１８との隙間に差し込んで係合させ、箱体の端部を閉鎖する。差し込み片３６の先端部の形状は、両角をとって差し込みやすくしておくのが好ましい。また、差し込み片３６の折罫線３８の両端部に切り込みを設けておけば、再封した状態で、この切り込みにサイドフラップ４４，６４が引っ掛かって強く係合し、差し込み片３６が抜けにくくすることができる。
【００２７】
次に、使用者が箱体を解体して廃棄するため、底蓋部７４側を開く操作を説明する。まず、筒体７２を片手で把持し、把持している手の親指等で、押圧位置表示６２の位置（前面１８及び第一側板１６が交差する角部）を内向きに押し込む。すると、底蓋部７４は、図４（ａ）に示すように、筒体７２が変形して破断線６０が破断することにより、内側底蓋片５８が前板１８から分離される。このとき、底蓋部７４の内側にある第一サイドフラップ４８は、押圧位置表示６２の位置が押し込まれると、図４（ｂ）に示すように、第一折り曲げ部４８ａが前板１８に対向する後板１４の内面にぶつかった後、自動的に第一折罫線４８ｂで正折りされ、押圧位置表示６２の押圧時の抵抗となることが回避される。第一折り曲げ部４８ａは、表面側に底蓋部７４があるので、底蓋部７４と反対側に屈曲することになる。
【００２８】
このように、使用者が押圧位置表示６２の位置を押し込むと、筒体７２が変形する過程で、第一折り曲げ部４８ａが自動的に屈曲するので、第一サイドフラップ４８は、筒体７２が変形するのを妨げる障害物にならず、押し込む力が効果的に破断線６０に伝達される。したがって、破断線６０を円滑に破断させることができ、底蓋部７４を簡単に開封することができる。また、第二サイドフラップ６８については、前板１８側の先端角部が切離した破断線６０の部分から突出することができるので、特に障害にはならない。
【００２９】
使用者は、底蓋部７４を開封した後、天蓋部７８も開いて箱体を薄く折り畳み、容積を小さくした状態で廃棄する。
【００３０】
包装箱１０には、第二サイドフラップ６８に第二折り曲げ部６８ａ及び第二折罫線６８ｂが設けられているので、底蓋部７４の開封は、押圧位置表示６２の位置ではなく、前面１８及び第二側板２０が交差する角部を内向きに押し込んでも、同様に行うことができる。例えば、商品をたくさん購入している使用者は、包装箱１０の底蓋部７４の開封操作を何回も経験し、「筒体７２を、いずれか一方の対角線の向きに押圧して変形させれば開封できる」ということが分かってくるので、押圧位置表示６２をいちいち確認せずに開封することができる。
【００３１】
この場合、前面１８及び第二側板２０が交差する角部に、２つ目の押圧位置表示を追加してもよい。ただし、押圧位置表示が２箇所にあると、使用者は「２箇所を同時に押圧しなければ開封できない」と誤解するおそれがあるので、いずれか一方を押圧操作するように表示する。
【００３２】
以上説明したように、包装箱１０は、筒体７２を片手で把持し、把持している手の親指等で、前面１８及び第一側板１６が交差する角部、あるいは前面１８及び第二側板２０が交差する角部を内向きに押し込む操作を行うことによって、シールエンド型の底蓋部７４を１アクションで簡単に開いて解体することができる。
【００３３】
なお、本考案の包装箱は、上記実施形態に限定されるものではない。例えば、上記の包装箱１０の天蓋部７８は再封可能な構造になっているが、天蓋部に再封機能が不要な場合は、本考案の蓋部の構造（例えば、底蓋部７４の構造）に置き換えてもよい。
【００３４】
その他、箱体形成片に設けられる複数の側面板の数は４つ以上でもよく、組み立て状態で四角形の筒体が形成されるものであればよい。また、複数の側面板の一部に、筒体を形成する以外の機能を持たせてもよい。例えば、特定の側面板の一部を切り離して表示カードとして使用できる構造にしてもよい。
【符号の説明】
【００３５】
１０  包装箱
１２  箱体形成片
１４  後板（側面板）
１６  第一側板（側面板）
１８  前板（側面板）
２０  第二側板（側面板）
４８  第一サイドフラップ
４８ａ  第一折り曲げ部
４８ｂ  第一折罫線
５８  内側底蓋片（蓋片）
６０  破断線
６２  押圧位置表示
６８  第二サイドフラップ
６８ａ  第二折り曲げ部
６８ｂ  第二折罫線
７２  筒体
７４  底蓋部
【図１】
0003206514.tif 000003
【図２】
0003206514.tif 000004
【図３】
0003206514.tif 000005
【図４】
0003206514.tif 000006
【手続補正書】
【提出日】平成28年7月19日(2016.7.19)
【手続補正１】
【補正対象書類名】明細書
【補正対象項目名】０００６
【補正方法】変更
【補正の内容】
【０００６】
本考案は、一枚の箱体形成片から成り、前記箱体形成片は、互いに平行に連接され、組み立て状態で四角形の筒体を形成する複数の側面板を有し、前記複数の側面板の中の１つである前板は、前記連接方向に対して直角方向の端部に、組み立て状態で前記筒体の一方の端部を塞ぐ蓋部となる蓋片が延設され、前記複数の側面板の中の１つである第一側板は、組み立て状態で前記前板と隣り合って交差する板であって、前記蓋片側の端部に、組み立て状態で前記蓋片の内側に重なる第一サイドフラップが延設され、前記前板と前記蓋片との境界部に破断線が設けられ、前記第一サイドフラップの２つの先端角部のうち、組み立て状態で前記前板から遠くなる方の先端角部は、第一折罫線で斜めに区切られて略三角形の第一折り曲げ部になっており、組み立て状態で、使用者が前記前板及び第一側板が交差する角部を内向きに押し込むことにより、前記筒体が変形して前記破断線が破断するとともに、前記第一折り曲げ部が、前記前板に対向する前記側面板の内面に接して前記第一折罫線で屈曲可能に形成されている包装箱である。
【手続補正２】
【補正対象書類名】明細書
【補正対象項目名】０００８
【補正方法】変更
【補正の内容】
【０００８】
前記複数の側面板の中の１つである第二側板は、組み立て状態で前記前板と隣り合って交差するとともに前記第一側板と対向する板であって、前記蓋片側の端部に、組み立て状態で前記蓋片の内側に重なる台形状の第二サイドフラップが延設され、前記第二サイドフラップ２つの先端角部のうち、組み立て状態で前記前板から遠くなる方の先端角部は、第二折罫線で斜めに区切られて略三角形の第二折り曲げ部になっており、組み立て状態で、使用者が前記筒体の前記前板及び第二側板が交差する角部を内向きに押し込むことにより、前記筒体が変形して前記破断線が破断するとともに、前記第二折り曲げ部が、前記前板に対向する前記側面板の内面に接して前記第二折罫線で屈曲可能に形成されている構成でもよい。
【手続補正３】
【補正対象書類名】明細書
【補正対象項目名】００２７
【補正方法】変更
【補正の内容】
【００２７】
次に、使用者が箱体を解体して廃棄するため、底蓋部７４側を開く操作を説明する。まず、筒体７２を片手で把持し、把持している手の親指等で、押圧位置表示６２の位置（前板１８及び第一側板１６が交差する角部）を内向きに押し込む。すると、底蓋部７４は、図４（ａ）に示すように、筒体７２が変形して破断線６０が破断することにより、内側底蓋片５８が前板１８から分離される。このとき、底蓋部７４の内側にある第一サイドフラップ４８は、押圧位置表示６２の位置が押し込まれると、図４（ｂ）に示すように、第一折り曲げ部４８ａが前板１８に対向する後板１４の内面にぶつかった後、自動的に第一折罫線４８ｂで正折りされ、押圧位置表示６２の押圧時の抵抗となることが回避される。第一折り曲げ部４８ａは、表面側に底蓋部７４があるので、底蓋部７４と反対側に屈曲することになる。
【手続補正４】
【補正対象書類名】明細書
【補正対象項目名】００３０
【補正方法】変更
【補正の内容】
【００３０】
包装箱１０には、第二サイドフラップ６８に第二折り曲げ部６８ａ及び第二折罫線６８ｂが設けられているので、底蓋部７４の開封は、押圧位置表示６２の位置ではなく、前板１８及び第二側板２０が交差する角部を内向きに押し込んでも、同様に行うことができる。例えば、商品をたくさん購入している使用者は、包装箱１０の底蓋部７４の開封操作を何回も経験し、「筒体７２を、いずれか一方の対角線の向きに押圧して変形させれば開封できる」ということが分かってくるので、押圧位置表示６２をいちいち確認せずに開封することができる。
【手続補正５】
【補正対象書類名】明細書
【補正対象項目名】００３１
【補正方法】変更
【補正の内容】
【００３１】
この場合、前板１８及び第二側板２０が交差する角部に、２つ目の押圧位置表示を追加してもよい。ただし、押圧位置表示が２箇所にあると、使用者は「２箇所を同時に押圧しなければ開封できない」と誤解するおそれがあるので、いずれか一方を押圧操作するように表示する。
【手続補正６】
【補正対象書類名】明細書
【補正対象項目名】００３２
【補正方法】変更
【補正の内容】
【００３２】
以上説明したように、包装箱１０は、筒体７２を片手で把持し、把持している手の親指等で、前板１８及び第一側板１６が交差する角部、あるいは前板１８及び第二側板２０が交差する角部を内向きに押し込む操作を行うことによって、シールエンド型の底蓋部７４を１アクションで簡単に開いて解体することができる。
【手続補正７】
【補正対象書類名】実用新案登録請求の範囲
【補正対象項目名】全文
【補正方法】変更
【補正の内容】
【実用新案登録請求の範囲】
【請求項１】
一枚の箱体形成片から成り、前記箱体形成片は、互いに平行に連接され、組み立て状態で四角形の筒体を形成する複数の側面板を有し、
前記複数の側面板の中の１つである前板は、前記連接方向に対して直角方向の端部に、組み立て状態で前記筒体の一方の端部を塞ぐ蓋部となる蓋片が延設され、
前記複数の側面板の中の１つである第一側板は、組み立て状態で前記前板と隣り合って交差する板であって、前記蓋片側の端部に、組み立て状態で前記蓋片の内側に重なる第一サイドフラップが延設され、
前記前板と前記蓋片との境界部に破断線が設けられ、
前記第一サイドフラップの２つの先端角部のうち、組み立て状態で前記前板から遠くなる方の先端角部は、第一折罫線で斜めに区切られて略三角形の第一折り曲げ部になっており、
組み立て状態で、使用者が前記前板及び第一側板が交差する角部を内向きに押し込むことにより、前記筒体が変形して前記破断線が破断するとともに、前記第一折り曲げ部が、前記前板に対向する前記側面板の内面に接して前記第一折罫線で屈曲可能に形成されていることを特徴とする包装箱。
【請求項２】
前記前板と第一側板とが交差する角部に、前記蓋部を開くときに押圧する位置を示す押圧位置表示が設けられている請求項１記載の包装箱。
【請求項３】
前記複数の側面板の中の１つである第二側板は、組み立て状態で前記前板と隣り合って交差するとともに前記第一側板と対向する板であって、前記蓋片側の端部に、組み立て状態で前記蓋片の内側に重なる台形状の第二サイドフラップが延設され、
前記第二サイドフラップ２つの先端角部のうち、組み立て状態で前記前板から遠くなる方の先端角部は、第二折罫線で斜めに区切られて略三角形の第二折り曲げ部になっており、
組み立て状態で、使用者が前記筒体の前記前板及び第二側板が交差する角部を内向きに押し込むことにより、前記筒体が変形して前記破断線が破断するとともに、前記第二折り曲げ部が、前記前板に対向する前記側面板の内面に接して前記第二折罫線で屈曲可能に形成されている請求項１記載の包装箱。
【請求項４】
前記前板と前記第一側板とが交差する角部、及び前記前板と前記第二側板とが交差する角部に、前記蓋部を開くときに押圧する位置を示す押圧位置表示がそれぞれ設けられている請求項３記載の包装箱。
【請求項５】
前記第一サイドフラップの前記第一折り曲げ部の前記第一折罫線には、切り込み線が設けられている請求項１記載の包装箱。